(57)【要約】【課題】第１及び第２の薬液タンクを有する薬液処理装置を用いた薬液処理工程において、第１の薬液タンクと第２の薬液タンクとを切替える際に、流路中に残留する旧薬液が新薬液に混入して、薬液濃度の変化や薬液の劣化を生じさせるのを未然に防止すること。【解決手段】本発明では、薬液を用いて被処理体を処理する薬液処理部(12,13)に循環流路(10)を介して第１及び第２の薬液タンク(2,3)を連通し、制御部(22)で第１又は第２の薬液タンク(2,3)を切替えて薬液処理部(12,13)に薬液を供給するように構成した薬液処理装置(1)において、制御部(22)は、第１の薬液タンク(2)から第２の薬液タンク(3)に切替えるときに、第２の薬液タンク(3)から供給される薬液を循環流路(10)を介して第１の薬液タンク(2)に送る薬液切替流路(D)を一時的に形成することにした。【選択図】図５
2008034593.tif 000002
【特許請求の範囲】
【請求項１】
薬液を用いて被処理体を処理する薬液処理部に循環流路を介して第１及び第２の薬液タンクを連通し、制御部で第１又は第２の薬液タンクを切替えて薬液処理部に薬液を供給するように構成した薬液処理装置において、
制御部は、第１の薬液タンクから第２の薬液タンクに切替えるときに、第２の薬液タンクから供給される薬液を循環流路を介して第１の薬液タンクに送る薬液切替流路を一時的に形成することを特徴とする薬液処理装置。
【請求項２】
前記制御部は、所定時間経過するまで前記薬液切替流路を形成することを特徴とする請求項１に記載の薬液処理装置。
【請求項３】
前記制御部は、薬液が所定濃度範囲内となるまで前記薬液切替流路を形成することを特徴とする請求項１に記載の薬液処理装置。
【請求項４】
前記制御部は、循環流路の終端部に設けた濃度センサで薬液濃度を検出することを特徴とする請求項３に記載の薬液処理装置。
【請求項５】
薬液を用いて被処理体を処理する薬液処理部に循環流路を介して第１及び第２の薬液タンクを連通するとともに、前記薬液処理部と前記第１及び第２の薬液タンクとの間に前記薬液処理部で使用した薬液を回収するための薬液回収流路を設け、制御部で第１又は第２の薬液タンクを切替えて薬液処理部に薬液を供給するとともに、薬液を供給した第１又は第２の薬液タンクに薬液を回収するように構成した薬液処理装置において、
制御部は、第１の薬液タンクから第２の薬液タンクに切替えるときに、第２の薬液タンクから供給される薬液を循環流路を介して第１の薬液タンクに送る薬液切替流路を一時的に形成するとともに、前記薬液処理部から回収した薬液を前記薬液回収流路の途中で廃棄する薬液廃棄流路を一時的に形成することを特徴とする薬液処理装置。
【請求項６】
薬液を用いて被処理体を処理する薬液処理部に第１又は第２の薬液タンクから循環流路を介して薬液を供給する薬液供給方法において、
第１の薬液タンクから第２の薬液タンクに切替えるときに、第２の薬液タンクから供給される薬液を循環流路を介して第１の薬液タンクに一時的に送ることを特徴とする薬液供給方法。
【請求項７】
薬液を用いて被処理体を処理する薬液処理部に第１又は第２の薬液タンクから循環流路を介して薬液を供給するとともに、薬液を供給した第１又は第２の薬液タンクに薬液回収流路を介して薬液を回収する薬液供給方法において、
第１の薬液タンクから第２の薬液タンクに切替えるときに、第２の薬液タンクから供給される薬液を循環流路を介して第１の薬液タンクに一時的に送るとともに、前記薬液処理部から回収した薬液を前記薬液回収流路の途中で一時的に廃棄することを特徴とする薬液供給方法。
【請求項８】
薬液を用いて被処理体を処理する薬液処理部に循環流路を介して第１及び第２の薬液タンクを連通し、制御部で第１又は第２の薬液タンクを切替えて薬液処理部に薬液を供給するように構成した薬液処理装置に薬液の供給動作を実行させるための薬液供給プログラムにおいて、
第１の薬液タンクから第２の薬液タンクに切替えるときに、第２の薬液タンクから供給される薬液を循環流路を介して第１の薬液タンクに一時的に送る薬液切替ステップを有することを特徴とする薬液供給プログラム。
【請求項９】
薬液を用いて被処理体を処理する薬液処理部に循環流路を介して第１及び第２の薬液タンクを連通するとともに、前記薬液処理部と前記第１及び第２の薬液タンクとの間に前記薬液処理部で使用した薬液を回収するための薬液回収流路を設け、制御部で第１又は第２の薬液タンクを切替えて薬液処理部に薬液を供給するとともに、薬液を供給した第１又は第２の薬液タンクに薬液を回収するように構成した薬液処理装置に薬液の供給動作を実行させるための薬液供給プログラムにおいて、
第１の薬液タンクから第２の薬液タンクに切替えるときに、第２の薬液タンクから供給される薬液を循環流路を介して第１の薬液タンクに一時的に送る薬液切替ステップと、前記薬液処理部から回収した薬液を前記薬液回収流路の途中で一時的に廃棄する薬液廃棄ステップとを有することを特徴とする薬液供給プログラム。
【発明の詳細な説明】
【技術分野】
【０００１】
本発明は、薬液処理装置及び薬液供給方法並びに薬液供給プログラムに関するものであり、特に、薬液を用いて被処理体を処理する薬液処理部に循環流路を介して第１及び第２の薬液タンクを連通し、制御部で第１又は第２の薬液タンクを切替えて薬液処理部に薬液を供給するように構成した薬液処理装置及び同装置における薬液供給方法並びに薬液供給プログラムに関するものである。
【背景技術】
【０００２】
従来より、半導体部品やフラットディスプレイや電子部品などの製造工程においては、半導体ウエハや液晶基板やディスク状記憶媒体などの被処理体を薬液を用いて洗浄やエッチングなどを行う薬液処理装置で処理する薬液処理工程が設けられていた。
【０００３】
この従来の薬液処理装置では、たとえば特許文献１に開示されているように、薬液を貯留する薬液タンクに閉ループ状の循環流路を連通連結するとともに、薬液を用いて被処理体を処理するための薬液処理部を循環流路に連通連結して構成していた。
【０００４】
そして、薬液処理装置では、薬液タンクに貯留した薬液を循環流路を介して循環させ、薬液タンク内の薬液を撹拌混合するとともに、循環流路に設けたヒータで薬液を所定温度に調温し、循環流路の途中から薬液処理部へ薬液を供給するようにしていた。
【０００５】
また、薬液処理装置では、長時間の使用により薬液タンクに貯留した薬液に揮発による濃度変化や経時的な劣化が生じるために、被処理体を所定数又は所定時間処理した後に薬液タンクに貯留されている薬液（旧薬液）を新規に生成した薬液（新薬液）に置換するようにしていた。
【０００６】
【特許文献１】特開２００５−２４３８１４号公報
【発明の開示】
【発明が解決しようとする課題】
【０００７】
ところが、上記従来の薬液処理装置では、循環流路を介して薬液を薬液タンクから薬液処理部に供給するように構成していたために、薬液タンク内を旧薬液から新薬液に置換しても、循環流路の内部に残留した旧薬液が循環流路から薬液タンク内に戻されてしまい、薬液タンク内で新薬液に旧薬液が混入して、薬液濃度の変化や薬液の劣化が生じるおそれがあった。
【０００８】
これは、薬液の置換に要する時間を短縮して薬液処理のスループットを向上させるために第１及び第２の薬液タンクを有し、薬液タンク内の薬液を置換する代わりに第１及び第２の薬液タンクを切替えることで薬液の置換を行うように構成した薬液処理装置でも同様であり、第１の薬液タンクに貯留された薬液（旧薬液）から第２の薬液タンクに貯留された薬液（新薬液）に切替えたときに、循環流路の内部に残留した旧薬液が循環流路から第２の薬液タンク内に戻されてしまい、第２の薬液タンク内で新薬液に旧薬液が混入して、第２の薬液タンク内で薬液濃度の変化や薬液の劣化が生じるおそれがあった。
【０００９】
そのため、上記薬液処理装置では、第１の薬液タンクからの薬液供給を停止させた状態でポンプによって強制的に循環流路に空気を送って循環流路の内部に残留した旧薬液を第１の薬液タンクに戻して排出し、その後、第１の薬液タンクから第２の薬液タンクに切替えようにしているが、循環流路の内部から旧薬液を完全に廃棄できずに旧薬液が残留してしまいやすく、また、薬液タンクの切替えに要する時間が長くなってしまい、薬液処理のスループットの向上に支障となるおそれがあった。
【００１０】
このように、従来の第１及び第２の薬液タンクを有する薬液処理装置では、循環流路の内部に残留した旧薬液が新薬液に混入して薬液濃度の変化や薬液の劣化が生じるおそれがあるとともに、薬液タンクの切替えに要する時間が長くなってしまい、薬液処理のスループットの向上に支障となるおそれがあった。
【課題を解決するための手段】
【００１１】
そこで、請求項１に係る本発明では、薬液を用いて被処理体を処理する薬液処理部に循環流路を介して第１及び第２の薬液タンクを連通し、制御部で第１又は第２の薬液タンクを切替えて薬液処理部に薬液を供給するように構成した薬液処理装置において、制御部は、第１の薬液タンクから第２の薬液タンクに切替えるときに、第２の薬液タンクから供給される薬液を循環流路を介して第１の薬液タンクに送る薬液切替流路を一時的に形成することにした。
【００１２】
また、請求項２に係る本発明では、前記請求項１に係る本発明において、前記制御部は、所定時間経過するまで前記薬液切替流路を形成することにした。
【００１３】
また、請求項３に係る本発明では、前記請求項１に係る本発明において、前記制御部は、薬液が所定濃度範囲内となるまで前記薬液切替流路を形成することにした。
【００１４】
また、請求項４に係る本発明では、前記請求項３に係る本発明において、前記制御部は、循環流路の終端部に設けた濃度センサで薬液濃度を検出することにした。
【００１５】
また、請求項５に係る本発明では、薬液を用いて被処理体を処理する薬液処理部に循環流路を介して第１及び第２の薬液タンクを連通するとともに、前記薬液処理部と前記第１及び第２の薬液タンクとの間に前記薬液処理部で使用した薬液を回収するための薬液回収流路を設け、制御部で第１又は第２の薬液タンクを切替えて薬液処理部に薬液を供給するとともに、薬液を供給した第１又は第２の薬液タンクに薬液を回収するように構成した薬液処理装置において、制御部は、第１の薬液タンクから第２の薬液タンクに切替えるときに、第２の薬液タンクから供給される薬液を循環流路を介して第１の薬液タンクに送る薬液切替流路を一時的に形成するとともに、前記薬液処理部から回収した薬液を前記薬液回収流路の途中で廃棄する薬液廃棄流路を一時的に形成することにした。
【００１６】
また、請求項６に係る本発明では、薬液を用いて被処理体を処理する薬液処理部に第１又は第２の薬液タンクから循環流路を介して薬液を供給する薬液供給方法において、第１の薬液タンクから第２の薬液タンクに切替えるときに、第２の薬液タンクから供給される薬液を循環流路を介して第１の薬液タンクに一時的に送ることにした。
【００１７】
また、請求項７に係る本発明では、薬液を用いて被処理体を処理する薬液処理部に第１又は第２の薬液タンクから循環流路を介して薬液を供給するとともに、薬液を供給した第１又は第２の薬液タンクに薬液回収流路を介して薬液を回収する薬液供給方法において、第１の薬液タンクから第２の薬液タンクに切替えるときに、第２の薬液タンクから供給される薬液を循環流路を介して第１の薬液タンクに一時的に送るとともに、前記薬液処理部から回収した薬液を前記薬液回収流路の途中で一時的に廃棄することにした。
【００１８】
また、請求項８に係る本発明では、薬液を用いて被処理体を処理する薬液処理部に循環流路を介して第１及び第２の薬液タンクを連通し、制御部で第１又は第２の薬液タンクを切替えて薬液処理部に薬液を供給するように構成した薬液処理装置に薬液の供給動作を実行させるための薬液供給プログラムにおいて、第１の薬液タンクから第２の薬液タンクに切替えるときに、第２の薬液タンクから供給される薬液を循環流路を介して第１の薬液タンクに一時的に送る薬液切替ステップを有することにした。
【００１９】
また、請求項９に係る本発明では、薬液を用いて被処理体を処理する薬液処理部に循環流路を介して第１及び第２の薬液タンクを連通するとともに、前記薬液処理部と前記第１及び第２の薬液タンクとの間に前記薬液処理部で使用した薬液を回収するための薬液回収流路を設け、制御部で第１又は第２の薬液タンクを切替えて薬液処理部に薬液を供給するとともに、薬液を供給した第１又は第２の薬液タンクに薬液を回収するように構成した薬液処理装置に薬液の供給動作を実行させるための薬液供給プログラムにおいて、第１の薬液タンクから第２の薬液タンクに切替えるときに、第２の薬液タンクから供給される薬液を循環流路を介して第１の薬液タンクに一時的に送る薬液切替ステップと、前記薬液処理部から回収した薬液を前記薬液回収流路の途中で一時的に廃棄する薬液廃棄ステップとを有することにした。
【発明の効果】
【００２０】
そして、本発明では、以下に記載する効果を奏する。
【００２１】
すなわち、本発明では、薬液を用いて被処理体を処理する薬液処理部に第１又は第２の薬液タンクから循環流路を介して薬液を供給する薬液処理装置において、第１の薬液タンクから第２の薬液タンクに切替えるときに、第２の薬液タンクから供給される薬液を循環流路を介して第１の薬液タンクに一時的に送り排出しているために、循環流路の内部に残留している第１の薬液タンクから供給された旧薬液と第２の薬液タンクに貯留される新薬液とが混合することがなくなり、新薬液に旧薬液が混入することによる薬液の濃度変化や劣化を未然に防止することができるとともに、短時間で薬液タンクの切替えを行うことができ、薬液処理のスループットを向上させることができる。
【００２２】
特に、上記制御を所定時間経過するまで行うようにした場合には、時間設定だけで上記制御を容易に行わせることができる。
【００２３】
また、上記制御を薬液が所定濃度範囲内になるまで行うようにした場合には、薬液の濃度によって循環流路の内部から旧薬液が排出されたことを検出することができ、循環流路の内部の旧薬液の排出を良好に行うことができる。
【００２４】
また、循環流路の終端部に設けた濃度センサで薬液の濃度を検出するようにした場合には、循環流路の内部から旧薬液を完全に排出することができる。
【００２５】
さらに、本発明では、薬液を用いて被処理体を処理する薬液処理部に第１又は第２の薬液タンクから循環流路を介して薬液を供給するとともに、薬液を供給した第１又は第２の薬液タンクに薬液回収流路を介して薬液を回収する薬液処理装置において、第１の薬液タンクから第２の薬液タンクに切替えるときに、第２の薬液タンクから供給される薬液を循環流路を介して第１の薬液タンクに一時的に送るとともに、薬液処理部から回収した薬液を薬液回収流路の途中で一時的に廃棄することにしているために、循環流路の内部だけでなく薬液処理部に残留している第１の薬液タンクから供給された旧薬液と第２の薬液タンクに貯留される新薬液とが混合することがなくなり、新薬液に旧薬液が混入することによる薬液の濃度変化や劣化を未然に防止することができるとともに、短時間で薬液タンクの切替えを行うことができ、薬液処理のスループットを向上させることができる。
【発明を実施するための最良の形態】
【００２６】
以下に、本発明に係る薬液処理装置及びこの薬液処理装置で用いる薬液供給方法並びに薬液処理装置に薬液を供給する動作を実行させるための薬液供給プログラムの具体的な構成について図面を参照しながら説明する。
【００２７】
［第１実施例］
図１に示すように、薬液処理装置１は、薬液を貯留するための第１及び第２の薬液タンク2,3に閉ループ状の往復流路4,5をそれぞれ連通連結するとともに、各往復流路4,5に流出流路6,7の始端部と流入流路8,9の終端部とをそれぞれ連通連結し、流出流路6,7の終端部と流入流路8,9の始端部との間に共通の循環流路10を連通連結し、この循環流路10に被処理体としてのウエハ11を薬液で処理するための第１及び第２の薬液処理部12,13をそれぞれ連通連結している。
【００２８】
第１及び第２の薬液タンク2,3には、純水源14と薬液源15とが純水供給流路16や薬液供給流路17を介して連通連結されており、各流路16,17には開閉弁18,19,20,21を介設している。これらの開閉弁18,19,20,21は、制御部22に接続されており、制御部22で開閉制御される。そして、制御部22で開閉弁18,19,20,21を開閉制御することで、第１又は第２の薬液タンク2,3の内部に純水源14と薬液源15とから純水と薬液とを所定比率で供給し、所定濃度の薬液を第１又は第２の薬液タンク2,3に貯留するようにしている。
【００２９】
また、第１及び第２の薬液タンク2,3には、排出流路23,24をそれぞれ連通連結するとともに、両排出流路23,24に共通する排出タンク25を連通連結し、排出タンク25に薬液を廃棄するための廃棄流路26を連通連結している。各排出流路23,24には、開閉弁27,28を介設しており、これらの開閉弁27,28は、制御部22に接続され、制御部22で開閉制御される。そして、制御部22で開閉弁27,28を開閉制御することで、第１又は第２の薬液タンク2,3の内部の薬液を排出タンク25を介して廃棄するようにしている。
【００３０】
第１及び第２の薬液タンク2,3に接続した往復流路4,5は、往路側流路29,30と復路側流路31,32とで構成しており、往路側流路29,30には、ヒータ33,34とポンプ35,36と開閉弁37,38とを順に介設し、復路側流路31,32には、開閉弁39a,40aとニードルバルブ39b,40bとを並列に介設している。これらのヒータ33,34やポンプ35,36や開閉弁37,38,39a,40aやニードルバルブ39b,40bは、制御部22に接続されており、制御部22で駆動制御或いは開閉制御される。
【００３１】
往路側流路29,30には、ポンプ35,36と開閉弁37,38との間に流出流路6,7の始端部をそれぞれ接続しており、各流出流路6,7には、開閉弁41,42を介設している。これらの開閉弁41,42は、制御部22に接続されており、制御部22で開閉制御される。なお、図面上では模式的に各流路を示しているために各流出流路6,7に設けた開閉弁41,42が離れた位置に図示されているが、実際には、これらの開閉弁41,42を近接配置し、各流出流路6,7を短く形成して、開閉弁41,42間の流出流路6,7に残留する薬液を少なくすることが好ましい。
【００３２】
また、復路側流路31,32には、開閉弁37,38と開閉弁39a,40a（ニードルバルブ39b,40b）との間に流入流路8,9の終端部をそれぞれ接続しており、各流入流路8,9には、開閉弁43,44を介設している。これらの開閉弁43,44は、制御部22に接続されており、制御部22で開閉制御される。なお、図面上では模式的に各流路を示しているために各流入流路8,9に設けた開閉弁43,44が離れた位置に図示されているが、実際には、これらの開閉弁43,44を近接配置し、各流入流路8,9を短く形成して、開閉弁43,44間の流入流路8,9に残留する薬液を少なくすることが好ましい。
【００３３】
さらに、各流出流路6,7は、終端部同士が接続されており、その終端部同士の接続部分に循環流路10の始端部を接続し、一方、各流入流路8,9は、始端部同士が接続されており、その始端部同士の接続部分に循環流路10の終端部を接続し、これにより、第１及び第２の薬液タンク2,3に往復流路4,5と流出流路6,7と流入流路8,9を介して循環流路10を共通に連通させている。
【００３４】
この循環流路10は、終端部に内部の薬液の濃度を検出するための濃度センサ45を介設しており、この濃度センサ45は制御部22に接続されている。
【００３５】
また、循環流路10は、中途部に第１及び第２の薬液処理部12,13の供給流路46,47をそれぞれ接続しており、各供給流路46,47には、開閉弁48,49を介設している。これらの第１及び第２の薬液処理部12,13や開閉弁48,49は、制御部22に接続されており、制御部22で駆動制御或いは開閉制御される。
【００３６】
薬液処理装置１は、以上に説明したように構成しており、制御部22に設けた記憶媒体22a（メモリー、ハードディスク、ディスク状メモリーなど）に格納した薬液供給プログラム50に従って薬液の供給動作を実行するようにしている。
【００３７】
薬液供給プログラム50は、図２に示すフローチャートに従って上記構成の薬液処理装置１に薬液の供給動作を実行させている。
【００３８】
以下に、薬液供給プログラム50による薬液の供給動作について説明する。なお、以下の説明では、第１の薬液タンク２から第１及び第２の薬液処理部12,13に薬液を供給する状態から、第２の薬液タンク３から第１及び第２の薬液処理部12,13に薬液を供給する状態に切替える場合について詳説する。
【００３９】
まず、薬液供給プログラム50では、第１の薬液タンク２から第１及び第２の薬液処理部12,13に薬液を供給する（第１薬液タンク供給ステップＳ１）。
【００４０】
具体的には、制御部22がポンプ35を駆動するとともに、排出流路23の開閉弁27と往復流路４の開閉弁37と開閉弁39aを閉弁状態とし、流出流路６の開閉弁41と流入流路８の開閉弁43と供給流路46,47の開閉弁48,49を開弁状態として、図３に示すように、第１の薬液タンク２→往路側流路29→流出流路６→循環流路10→流入流路８→ニードルバルブ39b→復路側流路31→第１の薬液タンク２の順で薬液を流動させるとともに、循環流路10から供給流路46,47を介して第１及び第２の薬液処理部12,13に薬液を供給する第１薬液タンク供給流路Ａを形成する。
【００４１】
このときに、薬液供給プログラム50では、第２の薬液タンク３に貯留された薬液を往復流路５を介して循環させて撹拌及び調温するようにしている（第２薬液タンク撹拌調温ステップＳ２）。
【００４２】
具体的には、制御部22がヒータ34とポンプ36とを駆動するとともに、排出流路24の開閉弁28と流出流路７の開閉弁42と流入流路９の開閉弁44とを閉弁状態とし、往復流路５の開閉弁38,40aを開弁状態として、図３に示すように、第２の薬液タンク３→往路側流路30→復路側流路32→第２の薬液タンク３の順で薬液を流動させる第２薬液タンク撹拌調温流路Ｂを形成する。
【００４３】
次に、薬液供給プログラム50では、第１及び第２の薬液処理部12、13への薬液の供給を停止する（薬液供給停止ステップＳ３）。
【００４４】
具体的には、制御部22が供給流路46,47の開閉弁48,49を閉弁状態とし、往復流路４の開閉弁39aを開弁状態として、図４に示すように、第１の薬液タンク２→往路側流路29→流出流路６→循環流路10→流入流路８→復路側流路31→第１の薬液タンク２の順で薬液を流動させる一方、循環流路10から供給流路46,47を介して第１及び第２の薬液処理部12,13への薬液供給を停止する薬液供給停止流路Ｃを形成する。
【００４５】
次に、薬液供給プログラム50では、第１の薬液タンク２から第２の薬液タンク３に薬液を切替える（薬液切替ステップＳ４）。この薬液切替ステップＳ４では、第１の薬液タンク２から第２の薬液タンク３に切替えるときに、第２の薬液タンク３から供給される薬液を循環流路10を介して第１の薬液タンク２に送るようにしている。
【００４６】
具体的には、制御部22が第１の薬液タンク２に接続したポンプ35の駆動を停止する一方、第２の薬液タンク３に接続したポンプ36を駆動し、第１の薬液タンク２に接続した往路側流路29の開閉弁37と流出流路６の開閉弁41を閉弁状態とするとともに、第２の薬液タンク３に接続した排出流路24の開閉弁28と往路側流路30の開閉弁38と復路側流路32の開閉弁40aと流入流路９の開閉弁44とを閉弁状態とし、さらに、第１の薬液タンク２に接続した排出流路23の開閉弁27と流入流路８の開閉弁43と復路側流路31の開閉弁39aとを開弁状態とするとともに、第２の薬液タンク３に接続した流出流路７の開閉弁42を開弁状態として、図５に示すように、第２の薬液タンク３→往路側流路30→流出流路７→循環流路10→流入流路８→復路側流路31→第１の薬液タンク２→排出流路23→排出タンク25の順で薬液を流動させる薬液切替流路Ｄを形成する。
【００４７】
このように、薬液供給プログラム50による薬液供給方法においては、第１の薬液タンク２から第２の薬液タンク３に切替えるときに、第２の薬液タンク３から供給される薬液を循環流路10を介して第１の薬液タンク２に送るようにしているために、切替時に循環流路10の内部に残留していた第１の薬液タンク２から供給された薬液（旧薬液）を第２の薬液タンク３から供給される薬液（新薬液）で循環流路10から第１の薬液タンク２へ押し出すことができ、これにより、循環流路10の内部を新薬液に置換することができるとともに、第２の薬液タンク３の内部で新薬液に旧薬液が混入してしまうのを防止することができ、旧薬液の混入による新薬液の濃度変化や劣化を未然に防止することができる。
【００４８】
次に、薬液供給プログラム50では、循環流路10の内部の薬液の濃度が所定濃度範囲内になるまで、上記薬液切替流路Ｄの形成を行う上記薬液切替ステップＳ４の実行状態を継続する（薬液切替継続ステップＳ５）。
【００４９】
具体的には、制御部22は、循環流路10の終端部に設けた濃度センサ45で循環流路10の内部の薬液の濃度を検出し、濃度センサ45で検出された薬液の濃度が予め設定した所定濃度範囲内になったか否かを判断し、所定濃度範囲内となった場合にのみ次のステップを実行する。なお、次のステップを実行する前に供給流路46,47の開閉弁48,49を一時的に開弁状態とすることによって供給流路46,47に残留する薬液を排出することもできる。
【００５０】
このように、薬液供給プログラム50による薬液供給方法においては、薬液の濃度が所定濃度範囲内になるまで薬液切替ステップＳ４を継続して実行するようにしているために、薬液の濃度によって循環流路10の内部から旧薬液が排出されたことを検出することができ、循環流路10の内部の旧薬液の排出を良好に行うことができる。特に、濃度センサ45を循環流路10の終端部に設け、循環流路10の終端部での薬液の濃度を検出しているために、循環流路10の内部から旧薬液を完全に排出することができる。
【００５１】
ここで、上記薬液供給プログラム50では、薬液の濃度で薬液切替ステップＳ４を継続して実行するか否かを判断しているが、これに限定されるものではなく、制御部22の内部又は外部に設けたタイマで時間を計測して、予め設定した所定時間が経過するまで薬液切替ステップＳ４を継続して実行するようにしてもよい。この場合には、濃度センサ45を設ける必要がなくなり、時間設定だけで薬液切替を容易に行わせることができる。
【００５２】
次に、薬液供給プログラム50では、第２の薬液タンク３から循環流路10に薬液を供給する（第２薬液タンク供給ステップＳ６）。
【００５３】
具体的には、制御部22がポンプ36を駆動するとともに、排出流路24の開閉弁28と往復流路５の開閉弁38を閉弁状態とし、往復流路５の開閉弁40aと流出流路７の開閉弁42と流入流路９の開閉弁44を開弁状態として、図６に示すように、第２の薬液タンク３→往路側流路30→流出流路７→循環流路10→流入流路９→復路側流路32→第２の薬液タンク３の順で薬液を流動させる第２薬液タンク供給流路Ｅを形成する。
【００５４】
次に、薬液供給プログラム50では、往路側流路29に残留する薬液を排出し、第１の薬液タンク２に新たに薬液を貯留し、第１の薬液タンク２に貯留された薬液を往復流路４を介して循環させて撹拌及び調温するようにしている（第１薬液タンク撹拌調温ステップＳ７）。
【００５５】
具体的には、まず、制御部22が流出流路６の開閉弁41と流入流路８の開閉弁43とを閉弁状態とするとともに、往路側流路29の開閉弁37と復路側流路31の開閉弁39aと排出流路23の開閉弁27を開弁状態としてポンプ35を駆動し、これにより、往路側流路29に残留する薬液を復路側流路31と第１の薬液タンク２へと送った後に排出流路23を介して排出する。この往路側流路29に残留する薬液の排出は、薬液の量が少量であるために短時間で排出を完了することができ、しかも、後述するように、第２の薬液タンク３から第１及び第２の薬液処理部12、13への薬液の供給を開始した後（後述する薬液供給開始ステップＳ８の実行後）に行うこともできるので、薬液処理装置１における薬液処理のスループットに影響を与えることはない。
【００５６】
その後、制御部22がポンプ35の駆動を停止するとともに、往復流路４の開閉弁37,39aと排出流路23の開閉弁27を閉弁状態とするとともに、純水供給流路16の開閉弁18と薬液供給流路17の開閉弁20を開弁状態として、純水源14と薬液源15から所定流量の純水と薬液を第１の薬液タンク２に貯留する。
【００５７】
その後、制御部22がヒータ33とポンプ35とを駆動するとともに、往復流路４の開閉弁37,39aを開弁状態として、図６に示すように、第１の薬液タンク２→往路側流路29→復路側流路31→第１の薬液タンク２の順で薬液を流動させる第１薬液タンク撹拌調温流路Ｆを形成する。
【００５８】
最後に、薬液供給プログラム50では、第１及び第２の薬液処理部12、13への薬液の供給を開始する（薬液供給開始ステップＳ８）。
【００５９】
具体的には、制御部22が供給流路46,47の開閉弁48,49を開弁状態とし、図７に示すように、第２の薬液タンク３→往路側流路30→流出流路７→循環流路10→流入流路９→ニードルバルブ40b→復路側流路32→第２の薬液タンク３の順で薬液を流動させるとともに、循環流路10から供給流路46,47を介して第１及び第２の薬液処理部12,13に薬液を供給する薬液供給開始流路Ｇを形成する。
【００６０】
なお、上記薬液供給プログラム50では、第２薬液タンク供給ステップＳ６、第１薬液タンク撹拌調温ステップＳ７、薬液供給開始ステップＳ８の順で実行するように構成しているが、第１薬液タンク撹拌調温ステップＳ７は、薬液切替継続ステップＳ５の実行後であれば、第２薬液タンク供給ステップＳ６よりも前に実行してもよく、また、第２薬液タンク供給ステップＳ６や薬液供給開始ステップＳ８と同時に実行してもよく、次に第２の薬液タンク３から第１の薬液タンク２に切替える前までに実行するようにすればよい。
【００６１】
以上に説明したように、上記薬液処理装置１では、薬液を用いて被処理体を処理する第１及び第２の薬液処理部12,13に第１又は第２の薬液タンク2,3から循環流路10を介して薬液を供給するように構成するとともに、第１の薬液タンク２から第２の薬液タンク３に切替えるときに、第２の薬液タンク３から供給される薬液を循環流路10を介して第１の薬液タンク２に送る薬液切替流路Ｄを一時的に形成するようにしているために、循環流路10の内部に残留している第１の薬液タンク２から供給された旧薬液と第２の薬液タンク３に貯留される新薬液とが混合することがなくなり、新薬液に旧薬液が混入することによる薬液の濃度変化や劣化を未然に防止することができるとともに、従来よりも短時間で薬液タンクの切替えを行うことができ、薬液処理のスループットを向上させることができる。
【００６２】
なお、以上の説明では、第１の薬液タンク２から第２の薬液タンク３に切替える場合について説明しているが、第２の薬液タンク３から第１の薬液タンク２に切替える場合も同様にして行うことができ、この場合には、第１の薬液タンク２から供給される薬液を循環流路10を介して第２の薬液タンク３に送るようにすればよい。
【００６３】
［第２実施例］
上記第１実施例の薬液処理装置１では、第１及び第２の薬液タンク2,3から第１及び第２の薬液処理部12,13に供給した薬液を第１及び第２の薬液タンク2,3に回収することなく廃棄するように構成しているが、以下に説明する第２実施例の薬液処理装置51では、第１及び第２の薬液タンク2,3から第１及び第２の薬液処理部12,13に供給した薬液を第１及び第２の薬液タンク2,3に回収して再利用するように構成している。なお、以下の第２実施例の薬液処理装置51の説明では、第１実施例の薬液処理装置１と同様の機能を有する構成については同一の符号を付して説明を省略している。
【００６４】
第２実施例の薬液処理装置51は、第１実施例の薬液処理装置１と同様に、薬液を用いて被処理体を処理する第１及び第２の薬液処理部12,13に循環流路10を介して第１及び第２の薬液タンク2,3を連通しており、さらに、第２実施例の薬液処理装置51では、第１及び第２の薬液処理部12,13と第１及び第２の薬液タンク2,3との間に第１又は第２の薬液処理部12,13で使用した薬液を回収するための薬液回収流路52を設けて、制御部22で第１又は第２の薬液タンク2,3を切替えて第１又は第２の薬液処理部12,13に薬液を供給するとともに、薬液を供給した第１又は第２の薬液タンク2,3に薬液を回収するように構成している。
【００６５】
薬液回収流路52は、第１及び第２の薬液処理部12,13に回収した薬液を一時的に貯留するための回収タンク53を接続流路54,55を介してそれぞれ連通連結するとともに、回収タンク53に回収流路56の始端部を連通連結し、回収流路56の終端部に第１薬液タンク回収流路57と第２薬液タンク回収流路58と廃棄流路59の始端部を連通連結し、第１薬液タンク回収流路57の終端部を第１の薬液タンク２に連通連結し、第２薬液タンク回収流路58の終端部を第２の薬液タンク３に連通連結し、廃棄流路59の終端部を排出タンク25に連通連結している。
【００６６】
回収流路56は、中途部にポンプ60を介設しており、ポンプ60は、制御部22に接続されており、制御部22で駆動制御される。
【００６７】
また、第１及び第２薬液タンク回収流路57,58と廃棄流路59は、中途部に開閉弁61,62,63をそれぞれ介設しており、これらの開閉弁61,62,63は、制御部22に接続されており、制御部22で開閉制御される。
【００６８】
そして、薬液処理装置51は、制御部22に設けた記憶媒体22a（メモリー、ハードディスク、ディスク状メモリーなど）に格納した薬液供給プログラム64に従って薬液の供給動作を実行するようにしている。
【００６９】
薬液供給プログラム64は、図９に示すフローチャートに従って上記構成の薬液処理装置51に薬液の供給動作を実行させている。
【００７０】
以下に、薬液供給プログラム64による薬液の供給動作について説明する。なお、以下の説明では、第１の薬液タンク２から第１及び第２の薬液処理部12,13に薬液を供給する状態から、第２の薬液タンク３から第１及び第２の薬液処理部12,13に薬液を供給する状態に切替える場合について詳説する。
【００７１】
まず、薬液供給プログラム64では、第１実施例と同様に、第１の薬液タンク２から第１及び第２の薬液処理部12,13に薬液を供給する（第１薬液タンク供給ステップＳ１）。これにより、第１実施例と同様に、図10に示すように、第１薬液タンク供給流路Ａを形成する。
【００７２】
このときにも、薬液供給プログラム64では、第１実施例と同様に、第２の薬液タンク３に貯留された薬液を往復流路５を介して循環させて撹拌及び調温するようにしている（第２薬液タンク撹拌調温ステップＳ２）。これにより、第１実施例と同様に、図10に示すように、第２薬液タンク撹拌調温流路Ｂを形成する。
【００７３】
また、このときに、薬液供給プログラム64では、第１及び第２の薬液処理部12,13で使用した薬液を供給元の第１の薬液タンク２に回収する（第１薬液タンク回収ステップＳ９）。
【００７４】
具体的には、制御部22がポンプ60を駆動するとともに、第１薬液タンク回収流路57の開閉弁61を開弁状態とし、第２薬液タンク回収流路58の開閉弁62と廃棄流路59の開閉弁63を閉弁状態として、図10に示すように、第１及び第２の薬液処理部12,13→回収流路56→第１薬液タンク回収流路57→第１の薬液タンク２の順で薬液を回収する第１薬液タンク回収流路Ｈを形成する。
【００７５】
次に、薬液供給プログラム64では、第１実施例と同様に、第１及び第２の薬液処理部12、13への薬液の供給を停止する（薬液供給停止ステップＳ３）。これにより、第１実施例と同様に、図11に示すように、薬液供給停止流路Ｃを形成する。
【００７６】
このときに、薬液供給プログラム64では、第１及び第２の薬液処理部12,13から回収した薬液を第１の薬液タンク２に回収せずに、薬液回収流路52の途中で廃棄するようにしている（薬液廃棄ステップＳ10）。
【００７７】
具体的には、制御部22がポンプ60を駆動するとともに、廃棄流路59の開閉弁63を開弁状態とし、第１薬液タンク回収流路57の開閉弁61と第２薬液タンク回収流路58の開閉弁62を閉弁状態として、図11に示すように、第１及び第２の薬液処理部12,13→回収流路56→廃棄流路59→排出タンク25の順で薬液を廃棄する薬液廃棄流路Ｉを形成する。
【００７８】
次に、薬液供給プログラム64では、第１実施例と同様に、第１の薬液タンク２から第２の薬液タンク３に薬液を切替える（薬液切替ステップＳ４）。この薬液切替ステップＳ４では、第１の薬液タンク２から第２の薬液タンク３に切替えるときに、第２の薬液タンク３から供給される薬液を循環流路10を介して第１の薬液タンク２に送るようにしている。これにより、第１実施例と同様に、図12に示すように、薬液切替流路Ｄを形成する。
【００７９】
このように、薬液供給プログラム64による薬液供給方法においては、第１の薬液タンク２から第２の薬液タンク３に切替えるときに、第１及び第２の薬液処理部12、13から回収した薬液を薬液回収流路52の途中で一時的に廃棄するようにしているために、切替時に第１及び第２の薬液処理部12,13に残留していた第１の薬液タンク２から供給された薬液（旧薬液）を第１及び第２の薬液処理部12,13から排出させることができ、これにより、第１及び第２の薬液処理部12,13で旧薬液と新薬液とが混合してしまうのを防止することができ、旧薬液の混入による新薬液の濃度変化や劣化を未然に防止することができる。
【００８０】
次に、薬液供給プログラム64では、第１実施例と同様に、循環流路10の内部の薬液の濃度が所定濃度範囲内になるまで、上記薬液切替流路Ｄの形成を行う上記薬液切替ステップＳ４の実行状態を継続する（薬液切替継続ステップＳ５）。ここでも、薬液供給プログラム64では、薬液の濃度で薬液切替ステップＳ４を継続して実行するか否かを判断しているが、これに限定されるものではなく、制御部22の内部又は外部に設けたタイマで時間を計測して、予め設定した所定時間が経過するまで薬液切替ステップＳ４を継続して実行するようにしてもよい。
【００８１】
次に、薬液供給プログラム64では、第１実施例と同様に、第２の薬液タンク３から循環流路10に薬液を供給する（第２薬液タンク供給ステップＳ６）。これにより、第１実施例と同様に、図13に示すように、第２薬液タンク供給流路Ｅを形成する。
【００８２】
このときにも、薬液供給プログラム64では、第１実施例と同様に、往路側流路29に残留する薬液を排出し、第１の薬液タンク２に新たに薬液を貯留し、第１の薬液タンク２に貯留された薬液を往復流路４を介して循環させて撹拌及び調温するようにしている（第１薬液タンク撹拌調温ステップＳ７）。これにより、第１実施例と同様に、図13に示すように、第１薬液タンク撹拌調温流路Ｆを形成する。なお、この第１薬液タンク撹拌調温ステップＳ７は、薬液切替継続ステップＳ５の実行後であれば、第２薬液タンク供給ステップＳ６よりも前に実行してもよく、また、第２薬液タンク供給ステップＳ６や薬液供給開始ステップＳ８や第２薬液タンク回収ステップＳ11と同時に実行してもよく、次に第２の薬液タンク３から第１の薬液タンク２に切替える前までに実行するようにすればよい。
【００８３】
最後に、薬液供給プログラム64では、第１実施例と同様に、第１及び第２の薬液処理部12、13への薬液の供給を開始する（薬液供給開始ステップＳ８）。これにより、第１実施例と同様に、図14に示すように、薬液供給開始流路Ｇを形成する。
【００８４】
このときに、薬液供給プログラム64では、第１及び第２の薬液処理部12,13で使用した薬液を供給元の第２の薬液タンク３に回収する（第２薬液タンク回収ステップＳ11）。
【００８５】
具体的には、制御部22がポンプ60を駆動するとともに、第２薬液タンク回収流路58の開閉弁62を開弁状態とし、第１薬液タンク回収流路57の開閉弁61と廃棄流路59の開閉弁63を閉弁状態として、図14に示すように、第１及び第２の薬液処理部12,13→回収流路56→第２薬液タンク回収流路58→第２の薬液タンク３の順で薬液を回収する第２薬液タンク回収流路Ｊを形成する。
【００８６】
以上に説明したように、上記薬液処理装置51では、薬液を用いて被処理体を処理する第１及び第２の薬液処理部12,13に第１又は第２の薬液タンク2,3から循環流路10を介して薬液を供給するとともに、薬液を供給した第１又は第２の薬液タンク2,3に薬液回収流路52を介して薬液を回収するように構成し、第１の薬液タンク２から第２の薬液タンク３に切替えるときに、第２の薬液タンク３から供給される薬液を循環流路10を介して第１の薬液タンク２に一時的に送るとともに、第１及び第２の薬液処理部12,13から回収した薬液を薬液回収流路52の途中で一時的に廃棄することにしているために、循環流路10の内部だけでなく第１及び第２の薬液処理部12,13に残留している第１の薬液タンク２から供給された旧薬液と第２の薬液タンク３に貯留される新薬液とが混合することがなくなり、新薬液に旧薬液が混入することによる薬液の濃度変化や劣化を未然に防止することができるとともに、従来よりも短時間で薬液タンクの切替えを行うことができ、薬液処理のスループットを向上させることができる。
【００８７】
なお、以上の説明では、第１の薬液タンク２から第２の薬液タンク３に切替える場合について説明しているが、第２の薬液タンク３から第１の薬液タンク２に切替える場合も同様にして行うことができ、この場合には、第１の薬液タンク２から供給される薬液を循環流路10を介して第２の薬液タンク３に送るとともに、第１及び第２の薬液処理部12,13から回収した薬液を薬液回収流路52の途中で廃棄するようにすればよい。
【図面の簡単な説明】
【００８８】
【図１】第１実施例に係る薬液処理装置を示す説明図。
【図２】第１実施例に係る薬液供給プログラムのフローチャート。
【図３】第１実施例に係る薬液処理装置の動作説明図。
【図４】第１実施例に係る薬液処理装置の動作説明図。
【図５】第１実施例に係る薬液処理装置の動作説明図。
【図６】第１実施例に係る薬液処理装置の動作説明図。
【図７】第１実施例に係る薬液処理装置の動作説明図。
【図８】第２実施例に係る薬液処理装置を示す説明図。
【図９】第２実施例に係る薬液供給プログラムのフローチャート。
【図１０】第２実施例に係る薬液処理装置の動作説明図。
【図１１】第２実施例に係る薬液処理装置の動作説明図。
【図１２】第２実施例に係る薬液処理装置の動作説明図。
【図１３】第２実施例に係る薬液処理装置の動作説明図。
【図１４】第２実施例に係る薬液処理装置の動作説明図。
【符号の説明】
【００８９】
１  薬液処理装置                    ２  第１の薬液タンク
３  第２の薬液タンク                4,5  往復流路
6,7  流出流路                       8,9  流入流路
10  循環流路                        11  ウエハ
12  第１の薬液処理部                13  第２の薬液処理部
14  純水源                          15  薬液源
16  純水供給流路                    17  薬液供給流路
18,19,20,21  開閉弁                 22  制御部
23,24  排出流路                     25  排出タンク
26  廃棄流路                        27,28  開閉弁
29,30  往路側流路                   31,32  復路側流路
33,34  ヒータ                       35,36  ポンプ
37,38,41,42,43,44  開閉弁           39a,40a  開閉弁
39b,40b  ニードルバルブ             45  濃度センサ
46,47  供給流路                     48,49  開閉弁
50  薬液供給プログラム              51  薬液処理装置
52  薬液回収流路                    53  回収タンク
54,55  接続流路                     56  回収流路
57  第１薬液タンク回収流路          58  第２薬液タンク回収流路
59  廃棄流路                        60  ポンプ
61,62,63  開閉弁                    64  薬液供給プログラム
Ａ  第１薬液タンク供給流路          Ｂ  第２薬液タンク撹拌調温流路
Ｃ  薬液供給停止流路                Ｄ  薬液切替流路
Ｅ  第２薬液タンク供給流路          Ｆ  第１薬液タンク撹拌調温流路
Ｇ  薬液供給開始流路                Ｈ  第１薬液タンク回収流路
Ｉ  薬液廃棄流路                    Ｊ  第２薬液タンク回収流路
【図１】
2008034593.tif 000003
【図２】
2008034593.tif 000004
【図３】
2008034593.tif 000005
【図４】
2008034593.tif 000006
【図５】
2008034593.tif 000007
【図６】
2008034593.tif 000008
【図７】
2008034593.tif 000009
【図８】
2008034593.tif 000010
【図９】
2008034593.tif 000011
【図１０】
2008034593.tif 000012
【図１１】
2008034593.tif 000013
【図１２】
2008034593.tif 000014
【図１３】
2008034593.tif 000015
【図１４】
2008034593.tif 000016